【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
熱可塑性エラストマー組成物であって、成分ａ）、ｂ）およびｃ）：
ａ）９０．９から６９．０重量％の、構造［Ｓ１−（Ｓ／Ｂ）ｋ−（Ｓ／Ｂ）ｌ−（Ｓ／Ｂ）ｍ−Ｓ２］ｎ−Ｘ  （Ｉ）を有する少なくとも１種の星形ブロックコポリマーＡ
（式中、Ｓ１およびＳ２は、少なくとも１種のビニル芳香族モノマーから作られるポリマーブロックであり、Ｓ／Ｂは、少なくとも１種のビニル芳香族モノマーと少なくとも１種のジエンとから作られるランダムコポリマーブロックであり、軟質相を形成し；Ｘは、多官能性カップリング剤に由来するカップリング中心である）；
ｂ）９．１から３１．０重量％の可塑剤Ｂ；および
ｃ）０から２．０重量％のさらなる添加剤Ｃ
を含み；
成分ａ）、ｂ）およびｃ）の合計は１００重量％であり；
アームＳ１−（Ｓ／Ｂ）ｋ−（Ｓ／Ｂ）ｌ−（Ｓ／Ｂ）ｍ−Ｓ２は同一であり；
ブロックＳ１およびＳ２（硬質相を形成する）の割合は、ブロックコポリマーＡ全体に基づいて、２４から４０重量％であり；
すべてのブロック（Ｓ／Ｂ）のビニル芳香族モノマー／ジエン（＝Ｓ／Ｂ）比は１／０．４５から１／２．５であり；
ブロック（Ｓ／Ｂ）ｋ、（Ｓ／Ｂ）ｌおよび（Ｓ／Ｂ）ｍのＳ／Ｂ比は互いに異なり；
ブロック（Ｓ／Ｂ）ｋおよび（Ｓ／Ｂ）ｍのＳ／Ｂ比はブロック（Ｓ／Ｂ）ｌのＳ／Ｂ比よりも低く；
ブロックＳ２／Ｓ１の重量比は０．１から０．８であり；
ブロックコポリマーＡの重量平均モル質量Ｍｗ（ＩＳＯ１６０１４−３：２０１２に従ってＧＰＣにより決定）は２２０，０００から４５０，０００ｇ／ｍｏｌであり；ｎは１から８の自然数であり；ｋ、ｍは１であり；ｌは少なくとも１である自然数であり；
可塑剤Ｂは、
ｂ１）鉱油Ｂ１および少なくとも１種のシクロヘキサン１，２−ジカルボン酸Ｃ８〜Ｃ１０ジアルキルエステルＢ２から構成される混合物；または
ｂ２）鉱油Ｂ１および１３０以下のヨウ素価（ｇ／１００ｇ）を有する少なくとも１種の植物油Ｂ３から構成される混合物
である、前記熱可塑性エラストマー組成物。
【請求項２】
可塑剤混合物ｂ１）またはｂ２）において、成分Ｂ１とＢ２、またはＢ１とＢ３の重量比は、８０：２０から４０：６０である、請求項１に記載の熱可塑性エラストマー組成物。
【請求項３】
可塑剤Ｂは混合物ｂ２）である、請求項１または２に記載の熱可塑性エラストマー組成物。
【請求項４】
植物油Ｂ３は、ナタネ油、ヒマワリ油、ブドウ種子油、パーム油、オリーブ油、ココナッツ油、パーム核油、ココアバター、ホホバ油、綿実油、コーン油、コムギ胚芽油、ダイズ油、ピーナッツ油、ヒマシ油、ゴマ油およびコメヌカ油からなる群から選択され；好ましくはナタネ油である、請求項１〜３のいずれか１項に記載の熱可塑性エラストマー組成物。
【請求項５】
植物油Ｂ３はナタネ油である、請求項１〜４のいずれか１項に記載の熱可塑性エラストマー組成物。
【請求項６】
メルトマスフローインデックス（ＩＳＯ１１３３−１：２０１１に従って２００℃および５ｋｇの荷重でポリマー溶融物において測定）は８から１６ｃｍ３／１０分の範囲であり、好ましくは９から１５ｃｍ３／１０分の範囲である、請求項１〜５のいずれか１項に記載の熱可塑性エラストマー組成物。
【請求項７】
９．１から２０．０重量％、さらに好ましくは１３．０から２０．０重量％の可塑剤Ｂ（成分ｂ））を含み、ブロックコポリマーＡのＭｗは２５０，０００から３２０，０００ｇ／ｍｏｌである、請求項１〜６のいずれか１項に記載の熱可塑性エラストマー組成物。
【請求項８】
２０重量％超、特に２１から３１．０重量％の可塑剤Ｂ（成分ｂ））を含み、ブロックコポリマーＡのＭｗは３２５，０００から４１０，０００ｇ／ｍｏｌである、請求項１〜６のいずれか１項に記載の熱可塑性エラストマー組成物。
【請求項９】
ｎは３から５の自然数である、請求項１〜８のいずれか１項に記載の熱可塑性エラストマー組成物。
【請求項１０】
Ｘはエポキシ化アマニ油またはエポキシ化ダイズ油に由来するカップリング中心である、請求項１〜９のいずれか１項に記載の熱可塑性エラストマー組成物。
【請求項１１】
ポリマーブロックＳ１のＭｗは２２，９００から５４，０００ｇ／ｍｏｌの範囲であり、好ましくは２５，６００から４２，６６０ｇ／ｍｏｌの範囲であり、ポリマーブロックＳ２のＭｗは５，０００から１２，０００ｇ／ｍｏｌの範囲であり、好ましくは５，０００から１２，０００ｇ／ｍｏｌの範囲であり、より好ましくは５，７００から９，５００ｇ／ｍｏｌの範囲である、請求項１〜１０のいずれか１項に記載の熱可塑性エラストマー組成物。
【請求項１２】
ブロックコポリマーＡのブロックＳ２／Ｓ１重量比は０．１から０．６であり、好ましくは０．１５から０．４０であり、より好ましくは０．１５から０．３である、請求項１〜１１のいずれか１項に記載の熱可塑性エラストマー組成物。
【請求項１３】
コポリマーブロック（Ｓ／Ｂ）ｋのＳ／Ｂ比は０．５から１．０であり、好ましくは０．６５から０．８５であり；コポリマーブロック（Ｓ／Ｂ）ｌのＳ／Ｂ比は０．５から１
．２であり、好ましくは０．７から１．１であり；コポリマーブロック（Ｓ／Ｂ）ｍのＳ／Ｂ比は０．３から０．８であり、好ましくは０．４０から０．７０である、請求項１〜１２のいずれか１項に記載の熱可塑性エラストマー組成物。
【請求項１４】
コポリマーブロック（Ｓ／Ｂ）ｋ、（Ｓ／Ｂ）ｌおよび（Ｓ／Ｂ）ｍの重量平均モル質量Ｍｗは互いに異なり；Ｍｗ（Ｓ／Ｂ）ｋは１６，５００から４０，０００ｇ／ｍｏｌの範囲であり；Ｍｗ（Ｓ／Ｂ）ｌは２５，８００から６０，８００ｇ／ｍｏｌの範囲であり；Ｍｗ（Ｓ／Ｂ）ｍは１４，３００から３３，８００ｇ／ｍｏｌの範囲である、請求項１〜１３のいずれか１項に記載の熱可塑性エラストマー組成物。
【請求項１５】
成分ａ）を連続的に押出機に導入し、次いで成分ｂ）および場合によりさらなる成分ｃ）を計量導入する、請求項１〜１４のいずれか１項に記載の熱可塑性エラストマー組成物の製造方法。
【請求項１６】
成分ｂ）および場合により成分ｃ）を、そのまままたは溶液で、ブロックコポリマーＡの溶液に添加し、次いで液体を均質化し、その後溶媒から生成物を遊離させる、請求項１〜１４のいずれか１項に記載の熱可塑性エラストマー組成物の製造方法。
【請求項１７】
請求項１〜１４のいずれか１項に記載の熱可塑性エラストマー組成物から生産される、成形品、特に、医療用品。
【請求項１８】
使用であって、医療用途のための、特に装具およびおむつのような皮膚接触用途、ならびにバッグおよびチューブのような静脈内用途のための、請求項１〜１４のいずれか１項に記載の熱可塑性エラストマー組成物の使用の方法。
【請求項１９】
請求項１および９〜１４のいずれか１項に記載の星形ブロックコポリマーＡ。
【請求項２０】
請求項１および９〜１４のいずれか１項に記載の式（Ｉ）のブロックコポリマーＡの製造方法であって、
ｉ）単一の開始；
ｉｉ）ビニル芳香族モノマーの第１の添加および重合；
ｉｉｉ）ビニル芳香族モノマーとジエンの混合物の少なくとも３回の添加および重合；
ｉｖ）ビニル芳香族モノマーの第２の添加および重合；ならびに
ｖ）最後のポリマーブロックのビニル芳香族モノマーの添加および重合後のカップリング工程
を特徴とする前記製造方法。